(57)【要約】【課題】スティック化粧料の製造に際し、得られた製品の先端面に立体的な模様を効率よく施すことができ、しかも、筒状スリーブとの間の嵌合性に優れ、常に適度な保持力を与えることのできるスティック状化粧料製造用キャップを提供する。【解決手段】スティック状化粧料容器の筒状スリーブの先端に装着するキャップ１であって、その上面内側円周部および側面下部に設けられた複数の保持部２ａにおいて、当該筒状スリーブと接し、側面内側に隙間を有し、また側面上部には、空気抜き孔４を有すると共に、前記キャップの頂部の少なくとも内面に凹凸を有する。【選択図】図４ａ
2007252787.tif 000002
【特許請求の範囲】
【請求項１】
スティック状化粧料用の容器の筒状スリーブ先端に装着するキャップであって、当該キャップの上面内側円周部および側面下部に設けられた複数の保持部において前記筒状スリーブと接し、側面内側に隙間を有し、側面上部には空気抜き孔を有すると共に、前記キャップの頂部の少なくとも内面に凹凸を有することを特徴とするスティック状化粧料製造用キャップ。
【請求項２】
前記キャップ頂部の内面の凹凸が、前記スティック状化粧料の先端面に立体的模様を形成させるものである請求項第１項記載のスティック状化粧料製造用キャップ。
【請求項３】
前記キャップの側面上部に複数の爪を設けた請求項第１項または第２項記載のスティック状化粧料製造用キャップ。
【請求項４】
前記キャップの下端にリブを有する請求項第１項乃至第３項のいずれかの項記載のスティック状化粧料製造用キャップ。
【発明の詳細な説明】
【技術分野】
【０００１】
本発明は、スティック状化粧料製造用キャップに関し、更に詳細には、口紅等のスティック状化粧料の製造時に、溶融された化粧料のバルクをスティック状化粧料容器中に充填するに先立って、前記化粧料を保持するために前記容器における筒状スリーブの先端に装着され、化粧料が固化・成形された後には取り除かれて、前記化粧料の先端面に立体的な模様を形成することができるスティック状化粧料製造用キャップに関する。
【背景技術】
【０００２】
スティック状化粧料は、その簡便性、携帯性の良さ等から、口紅をはじめとする種々の化粧料において使用されている。この化粧料の調製は、例えば図７に示すように、化粧料容器を構成する筒状スリーブの先端にキャップを装着した後、筒状スリーブの後端から溶融された化粧料を充填して一体固化させる方法により行われている。また、このようなキャップを用いた調製において、スティック状化粧料のキャップへの付着の問題を解消するために、キャップ側面に一定の隙間を設け、更にこの部分に保持部と空気抜き孔を設けたスティック状化粧料製造用キャップが提案されている（例えば、特許文献１参照。）。
【０００３】
一方、スティック状化粧料は、従来はその商品としての装飾が、容器自体の形状デザインおよび容器外面への加飾により行なわれる場合が多かったが、その後、より多様な装飾方法が求められ、中身のスティック先端面に立体的な模様を施したスティック状化粧料が提案されている（例えば、特許文献２参照。）。
【特許文献１】特開２００２−２９１５２９号公報
【特許文献２】特開昭６０−１８５５０９号公報
【発明の開示】
【発明が解決しようとする課題】
【０００４】
ところで、スティック状化粧料の先端面に立体的な模様を施そうとする場合、図６のような筒状スリーブ用キャップの頂部の少なくとも内側に凹凸模様を設ければ良い。しかしながら、キャップの円周面に接するスティック状化粧料の先端となる部分には空気が流通しにくいことも相俟って、溶融した化粧料バルクがキャップ頂部内側の凹凸模様部分に充填されたときに凹凸模様の隅々、特に凹形状の先の部分へスムーズに行き渡りにくく、その結果、固化後のスティック状化粧料のスティック先端面に未充填部分や先端面の泡による欠けが発生し易い。また、キャップはスリーブに押し込み、これらの間の摩擦力で保持しているが、筒状スリーブは金属製であることが一般的であり、その工作精度には若干の誤差がある。この結果、筒状スリーブとキャップの間がゆるすぎてキャップが簡単に外れ落ち、溶融した化粧料が流出したり、逆にきつすぎて外しにくいという問題もあった。
【０００５】
上記のうち、特にスティック状化粧料の先端面に未充填部分や泡による欠けが発生し易いという問題は、スティック状化粧料の商品価値を著しく低下させ、生産効率を低下させるものであるため、その改善が強く求められていた。従って本発明は、スティック状化粧料の製造に際し、得られた製品の先端面に凹凸模様を効率よく施すことができるとともに、製品の歩留まりを向上させ、しかも、筒状スリーブとの間の嵌合性に優れ、常に適度な保持力を与えることのできるスティック状化粧料製造用キャップを提供するものである。
【課題を解決するための手段】
【０００６】
かかる実情において、本発明者らは上記課題を解決すべく鋭意研究を重ねた結果、キャップ側面に一定の隙間を設けると共に、この部分に保持部および空気抜き孔を設けた上記特開２００２−２９１５２９号公報に記載のキャップにおいて、該キャップ頂部の少なくとも内面に凹凸を設けることにより、空気の流通性と嵌合性を両立することができ、スティックの先端面に立体的な模様を有するスティック状化粧料を効率よく製造し得ることを見い出し、本発明を完成するに至った。
【０００７】
すなわち本発明は、スティック状化粧料容器の筒状スリーブの先端に装着するキャップであって、その上面内側円周部および側面下部に設けられた複数の保持部において、当該筒状スリーブと密着し、側面内側に隙間を有し、また側面上部には、空気抜き孔を有すると共に、前記キャップの頂部の少なくとも内面に凹凸を有することを特徴とするスティック状化粧料製造用キャップである。
【発明の効果】
【０００８】
スティック状化粧料の製造において本発明のキャップを用いれば、キャップ内側裏面への空気の出入が行われやすいため、溶融した化粧料バルクが凹凸模様の部分に充填されても凹凸模様の隅々へスムーズに行き渡り、スティック状化粧料の先端面に未充填部分や泡による欠けが起こりにくい。また、筒状スリーブの寸法における若干の誤差にかかわらず安定に保持されるため、充填中にキャップが脱落することがない。従って、スティックの先端面に立体的な模様を有する外観美麗なスティック状化粧料を安定して得ることができる。
【０００９】
従って本発明のキャップは、化粧品の製造工程において、歩留まり良く、スティックの先端面に立体的な模様を有する口紅、リップクリーム、コンシーラー、皮膚美白用スティック、日焼け止め用スティック等のスティック状化粧料を得るために、極めて有利なものである。
【発明を実施するための最良の形態】
【００１０】
以下、本発明のいくつかの実施態様を示す図面を挙げて本発明を更に詳しく説明するが、これらは本発明を何ら限定するものではない。
【００１１】
図１ａは、本発明の一実施態様のスティック状化粧料製造用キャップ（以下単に、「キャップ」という）の右側面図、図２ａおよび図３ａはそれぞれこのキャップの平面図および底面図である。また、図４ａは図１ａにおける一部を切り欠いた図である。図中、１はキャップ、２ａは保持部、３は爪、４は空気抜き孔、５はリブ、６はキャップ頂部、１１はキャップ頂部内面をそれぞれ示す。
【００１２】
本発明のキャップは、図１ａおよび図２ａに示すように、その側面に保持部２ａ、空気抜き孔４およびリブ５を有し、その上部は、上に若干突き出したキャップ頂部６を有する。そして、図３ａおよび図４ａに示されるように、キャップ頂部６の内側に位置するキャップ頂部内面１１には、複数の平面によりダイヤモンド様の多面形状が形成されている。また、保持部２ａは、図３ａに示されるように、キャップの内側に緩やかに突出した形状である。この突出した部分は、キャップを筒状スリーブ７に装着した際に筒状スリーブの外面と接し、筒状スリーブとキャップとの間のがたつきを抑えるはたらきを持つものである。
【００１３】
保持部２ａは、図面に示した態様においては、キャップの内側に緩やかに突出した形状であるが、筒状スリーブの外面と接してそのがたつきを抑えることのできるものであれば、その形状は限定されない。更に、図面では凹凸模様が、複数の平面により形成された多面形状であるが、凹凸模様であれば１つまたは複数の曲面により形成されていてもよく、更には曲面と平面の組み合わせであってもよい。なお、かかる凹凸模様は、本実施態様ではキャップ頂部内面１１にのみ形成されているが、キャップ頂部内面１１に形成されてさえいれば、同様の模様がキャップ頂部６の外面部に形成されていてもよい。
【００１４】
この図１ａから図４ａに示された実施態様においては、保持部２ａは、キャップ側面において左右両辺を切り欠き、弾性片を上辺および下辺で支持するように形成した形状になっているが、これに限定されるものでなく、キャップ１を後記筒状スリーブに保持できる形状であればどのような形状であってもよい。なお、この実施態様では、保持部２ａおよび空気抜き孔４はそれぞれ３個設けられているが、これに限定されず、より多くの保持部２および空気抜き孔４を設けても良いし、空気抜き孔４は減らすこともできる。このキャップは、種々の材料で構成することができるが、製造のし易さ、取扱易さおよび弾性の面からプラスチック材料を用いることが好ましい。
【００１５】
他の実施態様としては、例えば、保持部を、キャップ側面において下辺および左右両辺を切り欠き、上辺でのみ結合した弾性片として形成した例を図１ｂおよび図３ｂに示した。保持部２ｂは、図３ｂに示したように、図３ａの保持部２ａと同様にキャップ１の内側に緩やかに突出している。
【００１６】
また、もう一つの実施態様としては、キャップの側面を切り欠くことを行わずに、キャップ内部の側面を加工して保持部２ｃをキャップ内部側面に設けた例を図１ｃから図３ｃに示した。この例も、保持部２ｃがキャップ１に対して安定して固定されているため、よりしっかりと筒状スリーブ７とキャップとの間のがたつきを抑えることができる。この実施態様では、保持部２ｃは全部で９つ設けられているが、この数には限定されず、任意の保持部２ｃを設けることができる。例えば、空気孔４が３つある場合は、空気孔間の３つの間隔をそれぞれ同数（図３ｃでは各３つ）の保持部２ｃを設けるのが、バランスよく保持するという点からも好ましい。
【００１７】
上記何れの実施態様においても、キャップ頂部６の内側に位置するキャップ頂部内面１１には、凹凸模様が形成されていることは言うまでもない。
【００１８】
本発明のキャップをスティック状化粧料容器（以下単に、「容器」という）に装着した状態を図５に、また、その状態での断面を図６に示す（化粧料は記載していない）。図中、７は筒状スリーブを、８は外筒を、９は隙間を、１０は接触点をそれぞれ示す。
【００１９】
本発明のキャップ１は、図５に示すように、容器の筒状スリーブ７に装着するが、このときキャップ１は筒状スリーブ７と、保持部２の内側に突出した部分、空気抜き孔４のそばの爪３および図６に示す接触点１０において接する（図６では断面図であり、１０は接触点として示されているが、実際は、スリーブの上面内側円周部で連続的に接し、充填されるスティック状化粧料の流出を防ぐ）。また、爪３は、キャップ１の上部が筒状スリーブ７の先端部と適正な接触点１０の位置で接触するようにガイドし、キャップ１の上部がぶれて傾くことがないように保持するはたらきをする。この爪は、保持効果の面から見て、弾性片であることが好ましく、また、複数個設けることが好ましい。
【００２０】
そして、キャップ１を装着した筒状スリーブ７の下部（図示しない）から、溶融したスティック状化粧料のバルクを流し込むと、これはキャップ１の内側裏面および筒状スリーブ７で形成される空間に充填される。この間、保持部２と爪３により、キャップ１は保持され、筒状スリーブ７から脱落することはなく、また接触点１０は、筒状スリーブ７の上縁部と連続的に接するから、ここからスティック状化粧料が漏れ出すこともない。
【００２１】
このとき、溶融したスティック状化粧料のバルクはキャップ頂部内面１１の凹凸模様の部分にも充填されるが、本発明のキャップ１と筒状スリーブ７の側面の間には、隙間９が存在し、更に空気抜き孔４があり、しかも接触点１０は筒状スリーブ７と連続的に接するものの密閉状態ではないことから、接触点１０を越えて空気が上記空間から逃げやすい。その結果、凹凸模様の隅々へ溶融バルクがスムーズに行き渡りやすく、スティック状化粧料の先端面に未充填部分や泡による欠けが起こりにくい。
更に、その後、冷却と共にスティック状化粧料は収縮するが、上記構造により逆に空気が入りやすいため、スティック状化粧料の先端面とキャップ頂部内面１１との剥離はスムーズに行われ、先端面にきれいな立体的模様を有するスティック状化粧料が得られる。
【００２２】
なお、キャップ頂部内面１１の凹凸模様により形成されるスティック状化粧料の先端面の形状として、図３ａ、図４ａに示す実施態様のキャップにより形成されるものの他に、図８〜図１４に示すような多面形状を挙げることができる。（何れも、スティック状化粧料の先端面に対し、正面から垂直に見た図である。）
【００２３】
また、筒状スリーブ７は、化粧料として使用できれば何れの形状でもよく、例えば横断面の形状が円形、楕円形、四角形、多角形等である筒の先端が水平や斜めに、あるいは曲面にて切り落とされた形状を挙げることができる。ここで、横断面が円形の筒においては、その先端が斜めに切り落とされた形状であれば、化粧料として使いやすく、また、キャップに回転力が加わりにくく外れにくいため好ましい形状となる。
【作用】
【００２４】
本発明のキャップは、筒状スリーブに若干の製作上の誤差があっても、保持部によりその誤差を吸収し、キャップの抜け落ちを防止することができる。また、筒状スリーブの側面とキャップの間に空気の流通可能な隙間を形成しているため、溶融した化粧料バルクを筒状スリーブ後部から流し込んでも、凹凸模様の隅々へ溶融バルクがスムーズに行き渡りやすい。従って、スティック状化粧料の先端面に未充填部分や泡による欠けが起こりにくく、先端面にきれいな立体的模様を有するスティック状化粧料を効率的に得ることができる。
【図面の簡単な説明】
【００２５】
【図１ａ】本発明の一実施態様であるキャップの右側面図である。
【図１ｂ】本発明の他の実施態様であるキャップの右側面図である。
【図１ｃ】本発明の更に他の実施態様を示すキャップの右側面図である。
【図２ａ】本発明の一実施態様であるキャップの平面図である。
【図３ａ】本発明の一実施態様であるキャップの底面図である。
【図３ｂ】本発明の他の実施態様であるキャップの底面図である。
【図３ｃ】本発明の更に他の実施態様を示すキャップの底面図である。
【図４ａ】本発明の一実施態様であるキャップを一部切り欠いた図である。
【図５】本発明のキャップをスティック状化粧料容器に装着した状態を示す図面である。
【図６】本発明のキャップをスティック状化粧料容器に装着した状態での断面を示す図面である。
【図７】従来のスティック状化粧料の充填の状態を示す図面である。
【図８】本発明の実施態様であるキャップ頂部内面１１に形成された凹凸模様の一態様を示す図面である。
【図９】同凹凸模様のその他の態様を示す図面である。
【図１０】同凹凸模様のその他の態様を示す図面である。
【図１１】同凹凸模様のその他の態様を示す図面である。
【図１２】同凹凸模様のその他の態様を示す図面である。
【図１３】同凹凸模様のその他の態様を示す図面である。
【図１４】同凹凸模様のその他の態様を示す図面である。
【符号の説明】
【００２６】
１  ……  キャップ
２ａ、２ｂ、２ｃ  ……  保持部 
３  ……  爪
４  ……  空気抜き孔
５  ……  リブ
６  ……  キャップ頂部
７  ……  筒状スリーブ
８  ……  外筒
９  ……  隙間
１０  ……  接触点
１１  ……  キャップ頂部内面
以上
【図１ａ】
2007252787.tif 000003
【図１ｂ】
2007252787.tif 000004
【図１ｃ】
2007252787.tif 000005
【図２ａ】
2007252787.tif 000006
【図３ａ】
2007252787.tif 000007
【図３ｂ】
2007252787.tif 000008
【図３ｃ】
2007252787.tif 000009
【図４ａ】
2007252787.tif 000010
【図５】
2007252787.tif 000011
【図６】
2007252787.tif 000012
【図７】
2007252787.tif 000013
【図８】
2007252787.tif 000014
【図９】
2007252787.tif 000015
【図１０】
2007252787.tif 000016
【図１１】
2007252787.tif 000017
【図１２】
2007252787.tif 000018
【図１３】
2007252787.tif 000019
【図１４】
2007252787.tif 000020